(57)【特許請求の範囲】
【請求項１】
ケース本体と、該ケース本体に廻動自在に取着された開閉蓋とからなる粒状物用ケースであって、
ケース本体は、内容物の収容室と、その側部に形成された下向きポケットからなり、ポケット側の側壁上端には、蝶番ピンを側壁から一定距離離れた先端に設けた上板が連設されており、
開閉蓋は、ケース本体の上面を覆う蓋板と、側部に取出口を設けた側板からなる蓋本体と、蓋本体の蓋板に蝶番ピンに軸支される軸受け部を設け、該軸受け部より下方に延びるよう連設された押え板とからなり、
押え板の側面が、ポケットの側壁表面より内側または面一になるよう配設されていることを特徴とする粒状物用ケース。
【請求項２】
蝶番ピンに対する軸受け部の係合を解き、開閉蓋を脱着可能にしたことを特徴とする請求項１記載の粒状物用ケース。
【請求項３】
下向きポケットの開口を塞ぐ凸部を設けた下板を、ヒンジを介してケース本体の下面に取着したことを特徴とする請求項１または２記載の粒状物用ケース。
【請求項４】
ケース本体と、該ケース本体に廻動自在に取着された開閉蓋とからなる粒状物用ケースであって、
ケース本体は、上部垂直壁と外側に延びる上壁と、上壁の端縁から垂下する下部垂直壁とからなる側壁を具えて、下方部を巾広とした収容室となっており、上部垂直壁上端には、蝶番ピンを垂直壁から一定距離離れた先端に設けた上板が連設されており、
開閉蓋は、ケース本体の上面を覆う蓋板と、側部に取出口を設けた側板とからなる蓋本体と、蓋本体に蝶番ピンに軸支される軸受け部を設け、該軸受け部より下方に延びるよう連設された押え板とからなり、
押え板の側面が、前記下部垂直壁の表面より内側または面一になるよう配設されていることを特徴とする粒状物用ケース。
【発明の詳細な説明】
【０００１】
【発明の属する技術分野】
本発明は、粒状物用ケース、とくに錠剤、粒状菓子などの粒状物を収容し、小出しするための粒状物用ケースに関する。
【０００２】
【従来の技術】
錠剤、粒状菓子などの粒状物用ケースとして、例えば、図６に示すように、直方体状のケース本体ａの側部に設けられたピンを軸支した蝶番受けｂに、一端に板状の操作レバーｃを軸受けを介して連設した開閉蓋ｄを取り付け、レバーｃを指先で廻動操作することによって、開閉蓋ｄを開閉するようにした粒状物用ケースは従来より知られている。
【０００３】
【発明が解決しようとする課題】
しかしながら、上記従来のケースは、レバーｃが小さく、指先で操作するため、開閉蓋ｄの開閉操作が面倒であるという問題があった。
さらに、レバーｃを下にして、ケース本体ａを横倒しにして置いた場合に、レバーｃの先端が押され、開閉蓋ｄが開かれるという問題があった。
その状態で放置しておくと大気中の塵埃が入ったり、不注意に扱うと収容した粒状物が散出することがあった。
【０００４】
操作を容易にするため、レバーに変え、押圧面を大きくした押え板を用いることも提案されているが、押え板を下にしてケースを置いた場合に、開閉蓋が開かれるという上記問題は解決できなかった。
また、従来のケースは、開閉蓋を取り外せないので、内容物の詰め替えができなかった。
【０００５】
本発明は、上記の問題点を解決することを課題として、ケース本体に開閉蓋を廻動自在に取着した粒状物用ケースにおいて、開閉操作用の押え板を下にしてケースを横倒しにして置いても、押え板の廻動が妨げられて開閉蓋が開かないようにするとともに、開閉蓋を着脱自在として、内容物を簡単に詰め替えられるようにした粒状物用ケースを提供することを目的とする。
【０００６】
【課題を解決するための手段】
本発明は、上記の課題を解決するため、粒状物用ケースとして、ケース本体と、該ケース本体に廻動自在に取着された開閉蓋とからなる粒状物用ケースであって、ケース本体は、内容物の収容室と、その側部に形成された下向きポケットからなり、ポケット側の側壁上端には、蝶番ピンを側壁から一定距離離れた先端に設けた上板が連設されており、開閉蓋は、ケース本体の上面を覆う蓋板と、側部に取出口を設けた側板からなる蓋本体と、蓋本体の蓋板に蝶番ピンに軸支される軸受け部を設け、該軸受け部より下方に延びるよう連設された押え板とからなり、押え板の側面が、ポケットの側壁表面より内側または面一になるよう配設されていることを特徴とする構成を採用する。
【０００７】
また、内容物を詰め替えられるようにするため、蝶番ピンに対する軸受け部の係合を解き、開閉蓋を脱着可能にしたことを特徴とする構成、下向きポケットの開口を塞ぐ凸部を設けた下板を、ヒンジを介してケース本体の下面に取着したことを特徴とする構成を採用する。
【０００８】
別実施形態として、ケース本体と、該ケース本体に廻動自在に取着された開閉蓋とからなる粒状物用ケースであって、ケース本体は、上部垂直壁と外側に延びる上壁と、上壁の端縁から垂下する下部垂直壁とからなる側壁を具えて、下方部を巾広とした収容室となっており、上部垂直壁上端には、蝶番ピンを垂直壁から一定距離離れた先端に設けた上板が連設されており、開閉蓋は、ケース本体の上面を覆う蓋板と、側部に取出口を設けた側板とからなる蓋本体と、蓋本体に蝶番ピンに軸支される軸受け部を設け、該軸受け部より下方に延びるよう連設された押え板とからなり、押え板の側面が、前記下部垂直壁の表面より内側または面一になるよう配設されていることを特徴とする構成を採用する。
【０００９】
【発明の実施の形態】
次に、本発明の実施形態について、図面を参照して説明する。
図１において、Ａはケース本体、Ｂはケース本体Ａに廻動自在に装着された開閉蓋で、いずれも合成樹脂によって形成されている。
ケース本体Ａは、粒状物の収容室Ａ１とその側部に付設された下向きポケットＡ２とからなっている。
【００１０】
収容室Ａ１には、内容物として、錠剤、粒状菓子などの粒状物が収容される。下向きポケットＡ２には、錠剤の場合には効能書を折りたたんで入れたり、粒状菓子類の場合にはキャラクター、キャラクターを印刷した紙片、キャラクターを組み立てる型紙等の挿入物Ｃを入れ、開口を塞いで外に出ないようにしている。
【００１１】
図２に示すように、収容室Ａ１は、右上端に短形状の切欠部を形成した前後の側壁１ａ，１ｂと、左右の側壁２，３と底壁４とから直方体に形成されており、下向きポケットＡ２は、右側の側壁３の外側に、側壁１ａ，１ｂの右端縁に連設された側壁５と、側壁５の上端と側壁３との間に架設された覆板６によって形成されている。
【００１２】
側壁３の上端から右側に延びるように上板７が延設されており、上板７の端部には、蝶番用の蝶番ピン８が形成されている。
後方の側板１ｂの左上方部には、位置決め用の凹部９が設けられている。
【００１３】
側壁２の下端には、ヒンジ１０が形成され、該ヒンジ１０の一端には、底壁４下面に接する下板１１が連設されている。
下板１１の右端部には、下向きポケットＡ２の開口１２を塞ぐよう上方に突出する凸部１３が形成されており、その外端は摘み１４となっている。
【００１４】
上記実施形態では、下向きポケットＡ２の開口１２を塞ぐよう下板１１を連接したが、ヒンジ１０と下板１１を除外して、開口１２を塞ぐシールを貼着するようにしてもよい。
【００１５】
図３に示すように、開閉蓋Ｂは、蓋本体２０と、該蓋本体２０の蓋板２１に蝶番ピン８に係合する軸受け部２２を介して連設された押え板２３とからなっている。
蓋本体２０は、蓋板２１と、蓋板２１の下面から垂設された後述する各種側板類によって構成されている。
【００１６】
蓋板２１の周縁には、ケース本体Ａの前後の側壁１ａ，１ｂ、左右の側壁２，３の厚さに相当する巾を有する接合縁２４が形成され、接合縁２４の内側には、蓋板２１下面より垂下する弧状の閉鎖板２５と、後側の側板２６と前側の側板２７、側板２６と側板２７を結ぶ傾斜板２８および短側板２９が垂設されている。閉鎖板２５、後側の側板２６、傾斜板２８によって前方に開口する取出口３０が形成されており、傾斜板２８と短側板２９の下端との間には、底板３１が連設されている。
側板２６の外側面には、ケース本体Ａに設けた凹部９に係合する突起３２が設けられている。
【００１７】
開閉蓋Ｂの開閉時には、閉鎖板２５はケース本体Ａの側壁２内周に摺接し、側板２６は側壁１ｂ内面に、側板２７は側壁１ａ内面に摺接して廻動される。
【００１８】
軸受け部２２は、ケース本体Ａの蝶番ピン８に軸支され、一定の締付けをもって廻動するようにしている。
押え板２３は、蓋板２１に対してほぼ直角に垂下しており、その側面は、下向きポケットＡ２の側壁５の側面より内側または面一となるよう位置させている。
【００１９】
押え板２３下端には外方に曲折した指掛け部３３が形成され、内側には押え板２３に対してＴ字形となるよう廻動規制リブ３４が連設されている。
廻動規制リブ３４の側部は、一定の傾斜がつけられ、開閉蓋Ｂの廻動を規制するとともに、押え板２３を補強するようにしている。
【００２０】
次に、粒状物用ケースの使用態様と作用効果について説明する。
内容物の取り出しにあたって、ケース本体Ａを傾け、押え板２３を押圧すると、開閉蓋Ｂが廻動して、図４に示すように、前側の側方に取出口３０が形成され、ケース本体Ａを振ることによって粒状物Ｄを小出しに取り出すことができる。
【００２１】
取り出し後に開閉蓋Ｂを閉じておくと、押え板２３を下にしてケース本体Ａを横倒ししても、下向きポケットＡ２よりの壁面に妨げられ、押え板２３が押圧廻動されることがなく、また突起３２がケース本体Ａ内面の凹部９に係合しているので、みだりに開閉蓋Ｂが開くことはない。
【００２２】
粒状物がなくなったときには、押え板２３を外方に引っ張ると、軸受け部２２の蝶番ピン８に対する締付けが小さくなり、押え板２３を上方に押し上げることによって蓋板２１が持ち上げられ、開閉蓋Ｂをケース本体Ａから取り外すことができる。
次に、新しい内容物を入れ、蓋板２１を押圧すると、軸受け部２２を蝶番ピン８に嵌め込み軸支させることができる。
【００２３】
上記実施形態では、開閉蓋Ｂの軸受け部２２は、ケース本体Ａに設けられた蝶番ピン８に一定の締付けをもって軸支されるようにし、取り外しにあたって、締付けをなくし、係合を解くようにしたが、軸受け部２２を蝶番ピン８の軸心方向にスライドさせるようにしてもよい。
【００２４】
次に、別実施形態の粒状物用ケースについて説明する。
前記実施形態では、ケース本体Ａに下向きポケットＡ２を設けたが、下向きポケットＡ２をなくし、収容室Ａ１の下方部を広巾としたもので、開閉蓋は前記実施形態と同一とする。
図５において、右側の側壁３ａは、上部垂直壁４０とその下端から外方に延びる上壁４１と、上壁４１の端縁に連設された下部垂直壁４２とからなっている。側壁３ａと左の側壁２ａと、前後の側壁１ａａ、１ｂａ、および底壁４ａによってケース本体Ａａが形成されている。
【００２５】
開閉蓋Ｂの押え板２３の壁面が、下部垂直壁４２の壁面より内側または面一となる位置にあるため、前記実施形態と同様の効果をもたらすことができる。
【００２６】
【発明の効果】
本発明は、上記のように構成されているから、次の効果を奏する。
開閉蓋の軸受け部を支持する蝶番ピンをケース本体の外方に位置させ、押え板を押圧操作することによって開閉蓋を開閉させるようにしたので、開閉蓋の開閉を容易にすることができ、取出口を側部に設けたので、粒状物を小出しに取り出すことができる。
【００２７】
また、押え板の側面を下向きポケットの側壁表面より内側または面一に配設したので、ケース本体を押え板を下に横倒しして置いても、開閉蓋が開かないようにすることができる。
【００２８】
開閉蓋の軸受け部を蝶番ピンから着脱自在にしたので、開閉蓋をケース本体から取り外して内容物の詰め替えができるようになった。
【図面の簡単な説明】
【図１】本発明粒状物用ケースの断面図である。
【図２】ケース本体の説明図で、（ａ）は上面図、（ｂ）は縦断面図である。
【図３】開閉蓋の正面図で、（ａ）は正面図、（ｂ）は底面図である。
【図４】開蓋時の粒状物用ケースの斜視図である。
【図５】  別実施形態の粒状物用ケースの断面図である。
【図６】  従来品の説明図である。
【符号の説明】
Ａ、Ａａ、ａ    ケース本体
Ａ１            収容室
Ａ２            下向きポケット
Ｂ、ｄ          開閉蓋
ｂ              蝶番受け
Ｃ              挿入物
ｃ              レバー
Ｄ              粒状物
１ａ、１ｂ、１ａａ、１ｂａ  側壁
２、３、２ａ、３ａ          側壁
４、４ａ        底壁
５              側壁
６              覆板
７              上板
８              蝶番ピン
９              凹部
２０            蓋本体
２１            蓋板
２２            軸受け部
２３            押え板
２４            接合縁
２５            閉鎖板
２６、２７      側板
２８            傾斜板
２９            短側板
３４            廻動規制リブ
【図１】
0003773029.tif 000002
【図２】
0003773029.tif 000003
【図３】
0003773029.tif 000004
【図４】
0003773029.tif 000005
【図５】
0003773029.tif 000006
【図６】
0003773029.tif 000007